(57)【要約】      （修正有）【課題】時計用表示板の背面に配置されるソーラーセルを見えにくくするとともに、立体的な表現が可能であって、作成が容易な表示板を提供する。【解決手段】ソーラーセル３０の受光面３０１を覆って視認される位置に配置される時計用表示板１００が、光を透過する基板２０と、この基板を挟んでソーラーセル３０とは反対側に配置する複数の装飾体とを有し、それぞれの装飾体を、第１面Ｓ１と、これとは反対側の第２面Ｓ２とを設けて基板２０とは別体に形成した部材とし、互いに隣り合う一方の装飾体１０ｂにおける第２面Ｓ２が反射した光を、互いに隣り合う他方の装飾体１０ａにおける第１面Ｓ１が、ソーラーセル３０の受光面３０１に反射するように、第１面Ｓ１及び第２面Ｓ２をソーラーセル３０の受光面３０１に対して傾斜させて、それぞれの装飾体１０ａ，１０ｂを、基板２０に固定した。【選択図】図５
2015184256.tif 000002
【特許請求の範囲】
【請求項１】
ソーラーセルの受光面を覆って視認される位置に配置される時計用表示板であって、
該時計用表示板は、光を透過する基板と、該基板を挟んで前記ソーラーセルとは反対側に配置する複数の装飾体とを有し、
それぞれの前記装飾体は、第１面と、該第１面とは反対側の第２面とを設けて前記基板とは別体に形成した部材であり、
互いに隣り合う一方の装飾体における前記第２面が反射した光を、互いに隣り合う他方の装飾体における前記第１面が、前記ソーラーセルの受光面へ反射させるように、該第１面及び第２面を前記ソーラーセルの受光面に対して傾斜させ、
それぞれの前記装飾体を、前記基板に固定したことを特徴とする時計用表示板。
【請求項２】
前記装飾体は、板状の部材であって、前記基板に固定される下端面を有し、
前記第１面及び前記第２面を、前記下端面に対して傾斜させて形成したことを特徴とする請求項１に記載の時計用表示板。
【請求項３】
前記複数の装飾体どうしを繋いで、前記基板上に自立する形状の構造体を形成するか、又は、前記複数の装飾体のそれぞれを、前記基板上に自立する形状の構造体に形成し、
該構造体を、前記基板に固定したことを特徴とする請求項２に記載の時計用表示板。
【請求項４】
前記基板上に自立する形状の構造体が、環状形状であることを特徴とする請求項３に記載の時計用表示板。
【請求項５】
前記時計用表示板は、前記環状形状の構造体を複数有し、
それぞれの前記環状形状の構造体は、前記ソーラーセルの平面視で同じ形状であって、大きさが異なることを特徴とする請求項３に記載の時計用表示板。
【請求項６】
前記環状形状の構造体を構成するそれぞれの前記装飾体における前記第１面を、前記時用表示板の中心に向けて配置するか、又は、前記環状形状の構造体を構成するそれぞれの前記装飾体における前記第２面を、前記時計用表示板の中心に向けて配置したことを特徴とする請求項５に記載の時計用表示板。
【請求項７】
前記基板には、それぞれの前記装飾体が固定される箇所に、前記ソーラーセルの受光面に対して傾斜する固定用傾斜面が形成され、
該固定用傾斜面に、それぞれの前記装飾体における前記第２面を固着したことを特徴とする請求項１又は２に記載の時計用表示板。
【請求項８】
前記固定用傾斜面の端部から、前記第２面の一部を突出させて、前記装飾体を固定したことを特徴とする請求項７に記載の時計用表示板。
【請求項９】
前記時計用表示板における表示部、又は、所定の情報を表示するためのインデックスとなる位置に、前記２つの装飾体の端部を対向させて配置したことを特徴とする請求項１〜８のいずれか１項に記載の時計用表示板。
【請求項１０】
それぞれの前記装飾体の表面に、光を反射する装飾を施したことを特徴とする請求項１〜９のいずれか１項に記載の時計用表示板。
【発明の詳細な説明】
【技術分野】
【０００１】
本発明は、ソーラーセルを内蔵する時計に用いられ、立体感のある時計用表示板に関する。
【背景技術】
【０００２】
近年、ソーラーセルを搭載し、その光で発電した電力を、動力として動作する腕時計が増えているが、ソーラーセルの色味が見えてしまうと外観が損なわれてしまうため、ソーラーセルの上面に半透過性の表示板を載せ、ソーラーセルの色を隠す手法が多く用いられている。しかし、この方法では表示板の色味が限られてしまうとともに、立体的な表現にも制限が生じる。
【０００３】
特許文献１に記載の表示板は、表側に設けられる光透過型の表示板の表面を加工して、傾斜面と垂直面で構成された鋸歯状の模様を複数形成し、傾斜面に金属コートを形成して光を反射させると共に、垂直面は光を透過させる構造となっている。したがって、時計表側から表示板を見たときに、垂直な光透過面は視認されず、反射面によって表示板全体が金属色に見えるとともに、ソーラーセルに光を導くことができる。
【先行技術文献】
【特許文献】
【０００４】
【特許文献１】特開平９−９００５９号公報（段落００２０，００２３、図３）
【発明の概要】
【発明が解決しようとする課題】
【０００５】
特許文献１に記載の表示板の構造は、表示板を構成する平面板をＶ字状に削ったものであり、平面板の厚さに制限される高さの凹凸しか形成できず、立体的な表現に欠けていた。さらに、傾斜面の金属コートは、金属板にスリットと目隠し部とを交互に形成した特別な治具を用いて形成する。その際、治具の目隠し部を、鋸歯状模様の垂直面部と、傾斜面部とが成す角部に重ねると共に、スリットを傾斜面部の上方に位置させて治具を重ねる。そして、金属の小片を高真空中で加熱蒸発させて、スリットを通して傾斜面部に照射して、この傾斜面部の表面に薄膜として凝着させる必要がある。
【０００６】
表示板を構成する平面板に、その厚さに制限される高さの細かな凹凸を加工した場合、治具のスリットの穴径に加工誤差が生じてしまうことと、傾斜面部に対する位置ずれの影響が大きいことにより、傾斜面部以外の部分まで蒸着されやすい。従って、極めて表示板の作成が困難であった。
【０００７】
本発明は、このような事情に鑑みなされたものであって、表示板の背面に配置されるソーラーセルを見えにくくするとともに、立体的な表現が可能であって、作成が容易な表示板を提供することを目的とする。
【課題を解決するための手段】
【０００８】
上記課題を解決するため、本発明は、ソーラーセルの受光面を覆って視認される位置に配置される時計用表示板であって、該時計用表示板は、光を透過する基板と、該基板を挟んで前記ソーラーセルとは反対側に配置する複数の装飾体とを有し、それぞれの前記装飾体は、第１面と、該第１面とは反対側の第２面とを設けて前記基板とは別体に形成した部材であり、互いに隣り合う一方の装飾体における前記第２面が反射した光を、互いに隣り
合う他方の装飾体における前記第１面が、前記ソーラーセルの受光面へ反射させるように、該第１面及び第２面を前記ソーラーセルの受光面に対して傾斜させ、それぞれの前記装飾体を、前記基板に固定したことを特徴とする。
【０００９】
また、本発明における前記装飾体は、板状の部材であって、前記基板に固定される下端面を有し、前記第１面及び前記第２面を、前記下端面に対して傾斜させて形成したことを特徴とする。
【００１０】
さらに、本発明は、前記複数の装飾体どうしを繋いで、前記基板上に自立する形状の構造体を形成するか、又は、前記複数の装飾体のそれぞれを、前記基板上に自立する形状の構造体に形成し、該構造体を、前記基板に固定したことを特徴とする。
【００１１】
また、本発明は、前記基板上に自立する形状の構造体が、環状形状であることを特徴とする。
【００１２】
また、本発明は、前記時計用表示板は、前記環状形状の構造体を複数有し、それぞれの前記環状形状の構造体は、前記ソーラーセルの平面視で同じ形状であって、大きさが異なることを特徴とする。
【００１３】
また、本発明は、前記環状形状の構造体を構成するそれぞれの前記装飾体における前記第１面を、前記時用表示板の中心に向けて配置するか、又は、前記環状形状の構造体を構成するそれぞれの前記装飾体における前記第２面を、前記時計用表示板の中心に向けて配置したことを特徴とする。
【００１４】
また、本発明は、前記基板には、それぞれの前記装飾体が固定される箇所に、前記ソーラーセルの受光面に対して傾斜する固定用傾斜面が形成され、該傾斜面に、それぞれの前記装飾体における前記第２面を固着したことを特徴とする。
【００１５】
また、本発明は、前記固定用傾斜面の端部から、前記第２面の一部を突出させて、前記装飾体を固定したことを特徴とする。
【００１６】
また、本発明は、前記時計用表示板における表示部、又は、所定の情報を表示するためのインデックスとなる位置に、前記２つの装飾体の端部を対向させて配置したことを特徴とする。
【００１７】
また、本発明は、それぞれの前記装飾体の表面に、光を反射する装飾を施したことを特徴とする。
【発明の効果】
【００１８】
本発明によれば、使用者が時計用表示板を見たとしても、ソーラーセルを見えにくくするとともに、時計用表示板を構成する基板とは別体の装飾体を用いることで、この基板の厚みに制限を受けず、自由に立体表現が可能である。また本発明によれば、特殊な治具は必要とせず、装飾体単体で蒸着等の装飾を施すことが可能である為、時計用表示板を容易に製作することが可能である。
【図面の簡単な説明】
【００１９】
【図１】本発明の第１の実施の形態に係る時計用表示板の斜視図である。
【図２】図１に示した時計用表示板の分解斜視図である。
【図３】図２に示した斜め状装飾構造体を構成する、斜め状装飾体の斜視図である。
【図４】図３に示した斜め状装飾体の要部を拡大して示した斜視図である。
【図５】図１に示した時計用表示板の要部を拡大して示した断面図である。
【図６】第１の実施形態に係る時計用表示を組み込んだ腕時計の平面図である。
【図７】図６に示した腕時計の斜視図である。
【図８】図６に示した腕時計の要部断面図である。
【図９】本発明に係る第２の実施の形態の時計用表示板の要部断面図である。
【図１０】時計用表示板の第１の変形例の要部断面図である。
【図１１】時計用表示板の第２の変形例の要部断面図である。
【図１２】時計用表示板の第３の変形例の要部断面図である。
【図１３】時計用表示板の第４の変形例の平面図である。
【図１４】時計用表示板の第５の変形例の平面図である。
【図１５】時計用表示板の第６の変形例の平面図である。
【図１６】時計用表示板の第７の変形例の平面図である。
【図１７】時計用表示板の第７の変形例における斜め状装飾体の配置例を示す要部断面図である。
【発明を実施するための形態】
【００２０】
以下、図面を用いて本発明の実施形態を説明する。
まず、図１〜図５を用いて本発明の第１の実施の形態に係る時計用表示板を説明する。
図１は、本発明の第１の実施の形態に係る時計用表示板の斜視図である。図２は、図１に示した時計用表示板の分解斜視図である。図３は、図２に示した斜め状装飾構造体を構成する、斜め状装飾体の斜視図、図４は、図３に示した斜め状装飾体の要部を拡大して示した斜視図である。
【００２１】
図１及び図２に示すように、時計用表示板１００は、光を透過する基板２０と、この基板２０に固着された複数の斜め状装飾構造体１０−１と台形状構造体１０−２とを有する。複数の斜め状装飾構造体１０−１のそれぞれは、時計用表示板１００の平面視で、同じ形状であり、大きさが異なる口の字状で環状形状の構造体である。台形状構造体１０−２は、その中心を時計用表示板１００の中心に一致させて配置し、複数の斜め状装飾構造体１０−１は、それぞれの中心を時計用表示板１００の中心に一致させ、台形状構造体１０−２の外側を囲み、外径形状が大きくなるに従って、時計用表示板１００の外側に位置するように、放射状に配置している。
【００２２】
それぞれの斜め状装飾構造体１０−１は、図３に示す斜め状装飾体１０を４枚用いて口の字状に並べ、斜め状装飾体１０の側面同士を接着により繋いで構成している。尚、斜め状装飾体１０は、側面同士を接着させた時に、２つの斜め状装飾体１０が互いに直角に組み合わさるよう、側面がテーパー状に形成されている。台形状構造体１０−２は、単一の部材で形成してもよいし、複数の部材を組み合わせて構成してもよい。
【００２３】
斜め状装飾体１０は、たとえばポリカーボネートの様な樹脂素材の表面に金属蒸着を施し装飾性を持たせたものであってもよいし、金属板を用いて装飾性を持たせてもよい。斜め状装飾体１０の製造方法としては、樹脂素材や金属板から、斜め状装飾体１０の大きさに、プレス抜きしてもよいし、ワイヤーカットで切り出してもよい。樹脂素材の場合は先に素材全体に金属蒸着を施して、前述のようにプレス抜きした方が極めて簡単に斜め状装飾体１０を製造する事が可能である。台形状構造体１０−２は、たとえば、ポリカーボネートの様な樹脂素材の表面に金属蒸着を施して装飾性を持たせたものであってもよいし、金属板を台形形状に加工して装飾性を持たせてもよい。基板２０は、たとえば、ポリカーボネートの様な透明樹脂素材をプレス抜きするか、又は、射出成型で基板２０の形状に形成してもよい。
【００２４】
図３に示すように、斜め状装飾体１０は、板状の部材であり、最大面積を持つ面を２面
有しており、そのうち基板２０方向に面した面が第１面であり内側面Ｓ１と呼び、の面を第２面であり外側面Ｓ２と呼ぶ。また、斜め状装飾体１０の上端に位置した面を上端面Ｓ３と呼び、下端に位置した面を下端面Ｓ４と呼ぶ。さらに、斜め状装飾体１０の長手方向の端部に位置する２つの面を側端面Ｓ５と呼ぶ。また、斜め状装飾体１０の内側面Ｓ１と上端面Ｓ３の境界の辺を境界辺Ａと呼び、外側面Ｓ２と下端面Ｓ４との境界の辺を境界辺Ｃと呼ぶ。さらに、内側面Ｓ１と下端面Ｓ４の境界の辺を境界辺Ｂと呼ぶ。
【００２５】
斜め状装飾体１０の内側面Ｓ１と外側面Ｓ２、及び、上端面Ｓ３と下端面Ｓ４は、互いに平行である。両側端面Ｓ５は、上端面Ｓ３から下端面Ｓ４に向かって、互いに直線的に末広がりに形成されている。したがって、内側面Ｓ１又は外側面Ｓ２から、斜め状装飾体１０を平面視すると、上端面Ｓ３側が上底、下端面Ｓ４側が下底となる台形形状である。
【００２６】
また、２つの斜め状装飾体１０の側端面Ｓ５同士を互いに接着したときに、一方の斜め状装飾体１０の境界辺Ａと、他方の斜め状装飾体１０の境界辺Ａとが、直角を成すように、側端面Ｓ５は、図４に示すテーパー状に形成されている。従って、境界辺Ｂよりも境界辺Ｃの方が長く、下端面Ｓ４の平面視で、下端面Ｓ４は、境界辺Ｂが上底、境界辺Ｃが下底となる台形形状である。
【００２７】
斜め状装飾体１０の内側面Ｓ１と外側面Ｓ２は、下端面Ｓ４に対して、９０度未満の角度で所定角度傾けて形成している。この所定角度は、例えば、４５度である。
従って、斜め状装飾体１０の下端面Ｓ４を、基板２０の載置面に接着等により固着すると、斜め状装飾体１０は基板２０上に斜め状に、すなわち、内側面Ｓ１と外側面Ｓ２が基板２０の載置面に対して傾いて設置される。基板２０の下側にはソーラーセル３０が配置されている。斜め状装飾体１０は、基板２０を挟んでソーラーセル３０とは反対側に配置される。斜め状装飾体１０が載置される基板２０の載置面は、ソーラーセル３０の受光面３０１と平行であり、斜め状装飾体１０の内側面Ｓ１と外側面Ｓ２は、ソーラーセル３０の受光面３０１に対して、傾けた配置関係となる。それぞれの斜め状装飾体１０は、内側面Ｓ１が、文字板の中心側に向けて配置されている。
【００２８】
次に、図５を用いて、基板２０に対する複数の斜め状装飾体１０の配置位置とソーラーセル３０への光の導光との関係について説明する。
【００２９】
図５は、図１に示した時計用表示板の要部を拡大して示した断面図である。
【００３０】
図５に示すように、互いに隣り合う斜め状装飾体１０ａ，１０ｂは、図５の左側に示す斜め状装飾体１０aの内側面Ｓ１と、図５の右側に示す斜め状装飾体１０ｂの外側面Ｓ２とが、互いに対向して平行に配置されている。そして、これらの離間距離は、基板２０の平面視で、両者の間からソーラーセル３０が視認されないように、斜め状装飾体１０aと斜め状装飾体１０ｂとの間に隙間が生じないように配置するのが好ましい。
【００３１】
この条件を満たすために、図５の斜め状装飾体１０ａの境界辺Ａから垂線を下ろしたＰ１の位置が、斜め状装飾体１０ｂの境界辺Ｃと一致するか、又は、この境界辺Ｃより斜め状装飾体１０ｂ側に位置している。後者の配置の方が、ユーザーが、基板２０の平面に対して斜めから視認した場合でも、ソーラーセル３０が視認されにくいので、好ましい。図５では省略されている他の斜め状装飾体１０についても同様の配置にするのが好ましい。但し、製造誤差により、Ｐ１が、斜め状装飾体１０ｂの境界辺Ｃよりも斜め状装飾体１０ａ側に若干位置していても、ソーラーセル３０が目立たない程度に、ソーラーセル３０をほぼ覆い隠すことができるし、斜め状装飾体１０ａ，１０ｂによる立体的な効果は損なわれない。
【００３２】
斜め状装飾体１０で覆われずに露出するソーラーセル３０の部位が存在する場合は、後述するように、時計用表示板１００以外の部材などで、ソーラーセル３０が直接使用者から見えないようにしてもよい。また、斜め状装飾体１０ａ，１０ｂの色や、時計用表示板１００に求められるデザインによっては、意図的に前述のＰ１を、斜め状装飾体１０ｂの境界辺Ｃよりも斜め状装飾体１０ａの境界辺Ｂ側に配置し、斜め状装飾体１０ａの境界辺Ａと斜め状装飾体１０ｂの境界辺Ｃとの間から、ソーラーセル３０をわずかに露出させて、ソーラーセル３０を時計用表示板１００の装飾に利用することも可能である。
斜め状装飾体１０を基板２０に固定する際には、各斜め状装飾体１０によって、斜め状装飾構造体１０−１を構成してから、これを基板２０に固定する。
【００３３】
次に斜め状装飾構造体１０−１の固定方法について説明する。
【００３４】
図１及び図２に示す斜め状装飾構造体１０−１は、平面に対して自立する。従って、斜め状装飾構造体１０−１を構成する各斜め状装飾体１０の下端面Ｓ４に接着剤を塗布し、基板２０に接着することにより、各斜め状装飾体１０が倒れることがなく、基板２０に簡単に固定することができる。また、斜め状装飾構造体１０−１及び基板２０に、それぞれ凸部と凹部を設けて勘合させることで固定させても良い。
【００３５】
斜め状装飾体１０の内側面Ｓ１と外側面Ｓ２と上端面Ｓ３には、金属蒸着や印刷、あるいは所定の反射率を有する色つきフィルムを貼るなどにより、光を反射させる装飾加工が施されており、これらの各面が、光を反射させる効果を持つ。
【００３６】
このような位置に固定され、装飾された斜め状装飾体１０は、図５に示す１２の経路でソーラーセル３０の受光面３０１に光を導くことができる。すなわち、隣り合う斜め状装飾体１０ａ，１０ｂのうち、一方の斜め状装飾体１０ｂの第２面である外側面Ｓ２に入射した光は、他方の斜め状装飾体１０aの第１面である内側面Ｓ１に反射し、さらに、この内側面Ｓ１が、ソーラーセル３０の受光面３０１に光を反射する。
【００３７】
従って、このような時計用表示板１００の構造により、時計用表示板１００の平面視では、斜め状装飾体１０でソーラーセル３０が隠れて、ソーラーセル３０が視認されず、斜め状装飾体１０によって立体的な効果が得られるとともに、外光は、ソーラーセル３０の受光面３０１に導かれて時計を駆動するのに十分な発電が可能である。
【００３８】
さらに、斜め状装飾体１０は、基板２０とは別体であるから、基板２０とは分離した斜め状装飾体１０単体の状態で装飾加工ができ、特別な治具を必要とせずに、簡単に装飾を施すことができる。しかも、斜め状装飾体１０を１枚ずつ、色味や反射率を変えて蒸着するか、あるいは、異なる印刷方法を選択することができ、グラディエーションを徐々に変えていくような装飾表現も容易に実現が可能である。
また、斜め状装飾構造体１０−１を構成した後に斜め状装飾構造体１０−１の表面に装飾を施しても、特別な治具等を用いることなく簡易に装飾加工が可能である。
【００３９】
次に、図６から図８を用いて、図１に示した時計用表示板を組み込んだ腕時計の構造を説明する。
【００４０】
図６は、第１の実施形態に係る時計用表示板を組み込んだ腕時計の平面図であり、図７はその斜視図、図８は、腕時計の要部断面図である。この腕時計１の時計ケース２は、ステンレス、チタンなどの金属材またはプラスチックなどの樹脂材で形成されている。時計ケース２の内部には、図８の上方から順に、風防６、時計用表示板１００を構成する斜め状装飾構造体１０−１と基板２０、ソーラーセル（太陽電池）３０、ムーブメント４０が積層配置されている。時計用表示板１００は、風防６側から視認される位置に配置され、
ソーラーセル３０の受光面３０１を覆う。
【００４１】
斜め状装飾構造体１０−１上には、ムーブメント４０から伸びた主針軸８に連結された秒針３、分針４および時針５からなる３つの表示指針が配置されており、時計ケース２は、裏側が裏蓋７で封止されている。ここで、ソーラーセル３０面に対する風防６側の位置を、時計表側と呼ぶことにする。
【００４２】
主針軸８に最も近い位置に配置される台形状構造体１０−２は、時計表側からみたときに主針軸８と対向する面は表示指針よって隠され視認できない為、台形状構造体１０−２に換えて斜め状装飾構造体１０−１を設置しても構わない。また、時計用表示板１００の最外周部分は、斜め状装飾構造体１０−１によって覆われないため、この部分は、時計表側からみて基板２０とその背面側が視認出来ない様に、斜め状装飾構造体１０−１と干渉しない位置に、２Ａのような段差による目隠し部をケース２に設けてもよい。
【００４３】
また、基板２０における風防６側の外周部分に、図示しない環状の見返しリングを配置して、ソーラーセル３０が視認出来ないように目隠し部として用いてもよい。
【００４４】
次に、本発明に係る時計用表示板の第２の実施の形態を説明する。
【００４５】
図９は、本発明の第２の実施の形態に係る時計用表示板の要部断面図である。
この実施の形態の時計用表示板１００ａが、第１の実施の形態の時計用表示板１００と異なるのは、基板２０に透明な傾斜面２００を持った透明土台２０２を設け、傾斜面２００に、斜め状装飾体１０の内側面Ｓ１を接着固定したことである。
透明土台２０２における傾斜面２００の長さ２０１は、斜め状装飾体１０の内側面Ｓ１の長さＬ１より短く設定している。また、傾斜面２００の幅は、例えば、境界辺Ａの幅に形成することができる。
【００４６】
斜め状装飾体１０は、傾斜面２００から内側面Ｓ１を突出させて傾斜面２００に接着固定されている。透明土台２０２は、傾斜面２００と、斜め状装飾体１０が接着されない傾斜面２０３とにより、断面形状が、略三角形の凸形状に形成されている。そして、透明土台２０２の傾斜面２００は、傾斜面２０３を挟んで、隣に形成された透明土台２０２の斜面２００と離間して形成されているが、斜面２００から突出する斜め状装飾体１０の内側面Ｓ１の先端付近は、隣に接着された斜め状装飾体１０と重なる位置に接着されている。
【００４７】
傾斜面２００の幅が境界辺Ａの幅に形成されている場合、斜め状装飾体１０の内側面Ｓ１の長さＬ１の２０％以上にあたる部分を傾斜面２００と接着固定するように設定する事により、斜め状装飾体１０の内側面Ｓ１の接着面積がほぼ２０％程度となる。接着剤の接着強度と斜め状装飾体１０の重量にもよるが、斜め状装飾体１０の内側面Ｓ１の長さＬ１の２０％以上の接着で、外部からの衝撃が時計用表示板１００ａに伝わったとしても、斜め状装飾体１０が、接着されている傾斜面２００から剥離する事は無い。
【００４８】
時計表側より照射された光は、斜め状装飾体１０ｄの外側面Ｓ２に入射し隣に配置した斜め状装飾体１０ｃの内側面Ｓ１に反射して、さらに、このＳ１が、透明土台２０２へ光を反射する。傾斜面２０３から透明土台２０２へ入射した光は、基板２０を透過してソーラーセル３０の受光面３０１に入射し発電が行なわれる。  透明土台２０２は、透過率を１００％にするのは困難であり、ある程度の光の吸収が生じるので、傾斜面２００の長さを短くすることにより透明土台２０２における光路長が短くなり、光減衰量が少なくてすみ、ソーラーセル３０の発電量を減らさずに済む。
【００４９】
図９に示した斜め状装飾体１０の取付け構造では、それぞれの斜め状装飾体１０を別々
に傾斜面２００に接着固定して、第１の実施の形態に示した斜め状装飾構造体１０−１と同様な構造体を、基板２０上に形成することができる。また、斜め状装飾体１０による構造体を形成せずに、個々の斜め状装飾体１０が独立して分離した状態で、基板２０上に配置する場合にも適用することができる。もちろん、斜め状装飾体１０により構造体を形成する場合は、第１の実施の形態に示したような斜め状装飾構造体１０−１をあらかじめ形成してから、それぞれの斜め状装飾体１０を、対応する傾斜面２００に接着固定しても良い。
【００５０】
本実施の形態の時計用表示板における斜め状装飾体１０の取付け構造では、図２に示したように、斜め状装飾体１０の上端面Ｓ３や下端面Ｓ４に対して、内側面Ｓ１や外側面Ｓ２を傾斜させて形成する必要がなく、斜め状装飾体１０を、単純な形状に形成することができる。もちろん、図２に示した形状の斜め状装飾体１０を傾斜面２００に接着固定しても良い。透明土台２０２は基板２０を加工して基板２０と一体に形成するのが望ましいが、別体として基板２０に設けても良い。
【００５１】
次に、斜め状装飾体、又は、斜め状装飾構造体の構成を異ならせた時計用表示板の変形例を説明する。これらの時計用表示板の変形例は、第１の実施の形態の時計用表示板に適用可能であり、また、第２の実施の形態の時計用表示板のような構造を用いることも可能である。
【００５２】
図１０は、時計用表示板の第１の変形例の要部断面図、図１１は、時計用表示板の第２の変形例の要部断面図である。
斜め状装飾体１０の断面形状は、図１０に示すように、斜め状装飾体１０の中央に段差部１０ｎを有する稲妻形状や図１１に示すような凹曲面形状でもよい。図１０のように、斜め状装飾体１０の中央に段差部１０ｎを設ける稲妻形状の場合は、時計表側から入射した光が、段差部１０ｎで複雑に反射することで散乱しやすい。従って、上面から見たとき光を散乱させた装飾効果が得られる。
【００５３】
また、図１１のように、斜め状装飾体１０の断面形状を、凹曲面形とした場合は、時計表側より入射した光が、斜め状装飾体１０ｂの外側面Ｓ２で反射するが、外側面Ｓ２が凹曲面形状であるために、隣り合う斜め状装飾体１０の内側面Ｓ１が、より多くの光をソーラーセル３０側に反射する向きに光を集めやすい。従って、このように斜め状装飾体１０の断面形状を凹曲面形状にすることにより、ソーラーセル３０の発電効率を向上させることが出来る。
【００５４】
図１２は、時計用表示板の第３の変形例の要部断面図である。
【００５５】
これまで斜め状装飾体１０の内側面Ｓ１と外側面Ｓ２、及び、上端面Ｓ３と下端面Ｓ４は、平行な例で説明したが、図１２に示すように、内側面Ｓ１の傾斜角度と外側面Ｓ２の傾斜角度とを異ならせても良い。斜め状装飾体１０を、このような形状にすることにより、先細り形状となった先端部分で複雑な光の反射が起き、上端面Ｓ３付近で、より多くの光を散乱させる装飾効果を付与することができる。また、時計用表示板１００のデザインの自由度を広げるため、下端面Ｓ４に対して上端面Ｓ３を傾けて形成してもよい。
【００５６】
図１３は、時計用表示板の第４の変形例の平面図である。
【００５７】
図１３に示した斜め状装飾構造体１０−１のそれぞれは、環状に形成した単一の斜め状装飾体から構成され、これらの構造体は、基板２０の平面視で円形である。図１及び図２に示す斜め状装飾構造体１０−１は、図１３の様に時計表側から見たときに円形であってもよい。これにより、時計用表示板を丸型の時計ケースに合う形状にすることができる。
さらには、円形の斜め状装飾構造体１０−１は切削加工に適した形状であり、切削だけで加工することにより、複数の斜め状装飾体１０を組み合わせて斜め状装飾構造体１０−１を構成するよりも、製造時間を短縮できる。
【００５８】
図１４は、時計用表示板の第５の変形例の平面図、図１５は、時計用表示板の第６の変形例の平面図である。
【００５９】
図１４に示した時計用表示板は、図１に示したものと同様に、斜め状装飾構造体１０−１ａ〜１０−１ｃを複数放射状に並べた構成である。図１に示したものと異なるのは、３つの斜め状装飾構造体１０−１ａ〜１０−１ｃのうち、斜め状装飾構造体１０−１ｂを構成する３時側の斜め状装飾体が１０ｆと１０ｇの２つで構成され、これらの斜め状装飾体の端部の間に、所定の情報を表示する表示部１５を挟んで配置したことである。この場合は、表示部１５を挟む、斜め状装飾体１０ｆと１０ｇの２つの端部は、具体的には、斜め状装飾体１０ｆと１０ｇに形成された端面Ｓ５ｆとＳ５ｇである。端面Ｓ５ｆとＳ５ｇは、図３及び図４に示したものとは異なり、高さ方向に傾斜を設けずに、基板２０に垂直な面に形成すると良い。
【００６０】
斜め状装飾構造体１０−１ｂは、斜め状装飾構造体１０−１ａや１０−１ｃのような切り欠き部分のない形状のものから、表示部１５に位置する箇所を部分的に切り欠くことで、形成することができる。また、斜め状装飾構造体１０−１ｂを部分的に切り欠くのではなく、表示部１５を挟んで、１２時側及び６時側に、あらかじめ２つに形成された、長さが短かい斜め状装飾体１０ｆと１０ｇとを配置しても良い。この表示部２０ｄから、時計用表示板１００の背面側に配置される日板等が視認される。
【００６１】
また図１５に示した時計用表示板も同様に、図１に示した斜め状装飾構造体１０−１ａ〜１０−１ｃを複数放射状に並べた構成である。
図１に示したものと異なるのは、３つの斜め状装飾構造体１０−１ａ〜１０−１ｃのうち、斜め状装飾構造体１０−１ｃの各辺を構成する斜め状装飾体が１０ｊと１０ｋの２つで構成され、この２つの斜め状装飾体１０ｊと１０ｋの端部が、時刻等の所定の情報を表示するためのインデックスとなる位置を挟んで配置され、この部分にインデックス部材２２を配置したことである。尚、３時位置以外に配置した斜め状装飾体１０ｊと１０ｋの端面の符号Ｓ５ｊとＳ５ｋは図示を省略する。
【００６２】
この場合、インデックス部材２２を挟む、斜め状装飾体１０ｊと１０ｋの２つの端部は、具体的には、斜め状装飾体１０ｊと１０ｋに形成される端面Ｓ５ｊとＳ５ｋである。端面Ｓ５ｊとＳ５ｋは、図３及び図４に示したものとは異なり、高さ方向に傾斜を設けずに、基板２０に垂直な面に形成すると良い。
【００６３】
斜め状装飾構造体１０−１ｃは、斜め状装飾構造体１０−１ａや１０−１ｂのような切り欠き部分のない形状のものから、インデックスとなる箇所を部分的に複数切り欠くことで形成することができる。この場合も、斜め状装飾構造体１０−１ｃを部分的に切り欠くのではなく、長さが短い２つの斜め状装飾体１０ｆと１０ｋの端面どうしを接着してＬ字形状の斜め状装飾構造体を４組形成し、これらの構造体を、インデックス部材２２を配置する部分を挟んで配置しても良い。
【００６４】
図１６は、時計用表示板の第７の変形例の平面図、図１７は、時計用表示板の第７の変形例における斜め状装飾体の配置例を示す要部断面図である。
図１６に示した時計用表示板は、斜め状装飾体によって構造体を構成せずに、複数の斜め状装飾体１０のそれぞれを、同じ方向に向けて並べて配置している。このようにすることで、放射状以外のパターンを作ることができ、デザインバリエーションを増やすことが可
能となる。また、斜め状装飾体１０を複数並べて配置する場合には、図１７のように、状装飾体１０ａに対し、一部の斜め状装飾体１０ｂの外側面Ｓ２が対抗する向きに配置しても良い。これにより、デザイン的なアクセントを生むことができる。
【００６５】
また、基板２０上に複数配置される斜め状装飾体１０や斜め状装飾構造体１０−１は、斜め状装飾体１０の高さと角度を徐々に変えていっても良い。これにより、より時計表側から見たときの立体感を強く表現することが可能である。
【００６６】
また、斜め状装飾体１０の内側面Ｓ１に夜光塗料を塗布することで暗所でも立体物の陰影をつけることが出来、加えて夜光塗料による発光により、ソーラーセル３０の受光面３０１に光が入射し暗所でも発電することが可能となる。
【００６７】
また、第１の実施の形態の時計用表示板において、斜め状装飾構造体１０−１を、４つの斜め状装飾体１０を繋いで構成したが、これに限らず、５つ以上の斜め状装飾体１０を繋いで、５つ以上の辺を持つ多角形などの環状形状の斜め状装飾構造体を構成しても良い。また、環状形状以外でも、複数個の斜め状装飾構造体１０−１を繋いで、Ｌ字形状やコの字形状の斜め状装飾構造体を構成しても良い。いずれの場合も、平面に対して、自立可能な斜め状装飾構造体を構成することができる。環状形状に形成した斜め状装飾構造体は、第１の実施の形態のように、内側面Ｓ１を時計用表示板の中心に向けて配置しても良いし、外側面Ｓ２を時計用表示板の中心に向けて配置してもよい。
【符号の説明】
【００６８】
１…腕時計、２…時計ケース、３、４、５…表示指針、６…風防、７、…裏蓋、８…主針軸、１０、１０a、１０ｂ、１０ｃ、１０ｄ、１０ｆ、１０ｇ、１０ｊ、１０ｋ…斜め状装飾体、１０−１、１０−１ａ、１０−１ｂ、１０−１ｃ…斜め状装飾構造体、１０−２…台形状構造体、１００、１０１ａ…時計用表示板、２０…基板、２２…インデックス部材、３０…ソーラーセル、３０１…ソーラーセル受光面、４０…ムーブメント、４１…裏蓋、２００…斜面、２０１…長さ、２０２…透明土台、Ａ、Ｂ、Ｃ…斜め状装飾体の辺、Ｓ１，Ｓ２，Ｓ３，Ｓ４，Ｓ５…斜め状装飾体の面、Ｐ１…点、Ｌ１…長さ。
【図１】
2015184256.tif 000003
【図２】
2015184256.tif 000004
【図３】
2015184256.tif 000005
【図４】
2015184256.tif 000006
【図５】
2015184256.tif 000007
【図６】
2015184256.tif 000008
【図７】
2015184256.tif 000009
【図８】
2015184256.tif 000010
【図９】
2015184256.tif 000011
【図１０】
2015184256.tif 000012
【図１１】
2015184256.tif 000013
【図１２】
2015184256.tif 000014
【図１３】
2015184256.tif 000015
【図１４】
2015184256.tif 000016
【図１５】
2015184256.tif 000017
【図１６】
2015184256.tif 000018
【図１７】
2015184256.tif 000019